(57)【特許請求の範囲】
【請求項１】
支持部材を支持しかつ取付対象部材に取り付けられる部材支持用クリップであって、
板状体からなり、中間部分で折り曲げることにより互いに重ね合わされる両側板状部分と、前記折り曲げ状態で前記中間部分に形成される孔状の支持部分と、前記重ね合わされた状態の前記両側板状部分を貫通するように前記両側板状部分にそれぞれ設けられた各取付用貫通孔とを有し、
前記両側板状部分の一方に係合孔が設けられ、
前記両側板状部分の他方に、前記重ね合わされた状態で前記係合孔に係合しかつ前記一方の板状部分の外方に所定量突出する拡頭部を有する係合突部が設けられ、
前記係合孔と前記係合突部とが、前記両側板状部分の前記支持部分側とは相反する端部近傍に設けられ、
前記係合孔が、横長の小幅部分と、該小幅部分の中間部に前記拡頭部よりも小径の円形部分とを有するように形成され、
前記部材支持用クリップが、前記各取付用貫通孔に挿通する固定部材により前記取付対象部材に取り付けられ、
前記取付対象部材に、前記部材支持用クリップを回り止めするべく前記係合突部の前記拡頭部を係合状態に受容する回り止め用凹部が設けられていることを特徴とする部材支持用クリップ。
【発明の詳細な説明】
【技術分野】
【０００１】
本発明は、板状体を折り曲げて互いに重ね合わせて使用する部材支持用クリップおよびその取付構造に関するものである。
【背景技術】
【０００２】
従来、物としての種々の部材を壁面やパネルなどに取り付ける場合に部材支持用クリップを介して取り付けるようにしたものがある。その場合に用いられるクリップにあっては、部材を支持する部位の形状を支持対象物に合わせると良く、例えば紐や線状のものを支持対象とするクリップにおいて、板状体を折り曲げて、その折り曲げ部分に線状の物を把持状態に受容し得る円筒形状部分を形成したものがある（例えば特許文献１参照）。
【特許文献１】特開２００４−２２２３９３号公報
【発明の開示】
【発明が解決しようとする課題】
【０００３】
上記特許文献１におけるクリップにあっては、使用前（取り付け前）の状態では板状体の両端部分となる両側平板部を互いに略直交して開いた状態に折り曲げられ、かつ折り曲げ部分に半円状の円弧部が形成されている。その円弧部によりワイヤハーネスを支持し、一方の平板部を固定材に当接させると共に他方の平板部を重ね合わせて、両平板部をねじ止めにより共締めするようにしてパネル等に固定している。
【０００４】
しかしながら、パネル等に固定する前にあっては、上記したようにワイヤハーネスを支持する円弧部を間にした両側平板部が互いに略直交して開いた状態になっているため、固定時にワイヤハーネスを円弧部に収めて、両側平板部を閉じるようにしてからパネル等にねじ止めすることになる。そのため、作業が煩雑化するという問題があった。
【課題を解決するための手段】
【０００５】
このような課題を解決して、板状体を折り曲げて互いに重ね合わせて使用する部材支持用クリップの作業性を向上するために本発明に於いては、支持部材（２）を支持しかつ取付対象部材（１１）に取り付けられる部材支持用クリップ（１）であって、板状体からなり、中間部分で折り曲げることにより互いに重ね合わされる両側板状部分（１ｂ・１ｃ）と、前記折り曲げ状態で前記中間部分に形成される孔状の支持部分（５）と、前記重ね合わされた状態の前記両側板状部分（１ｂ・１ｃ）を貫通するように前記両側板状部分（１ｂ・１ｃ）にそれぞれ設けられた各取付用貫通孔（８ａ・８ｂ）とを有し、前記両側板状部分（１ｂ・１ｃ）の一方に係合孔（７）が設けられ、前記両側板状部分（１ｂ・１ｃ）の他方に、前記重ね合わされた状態で前記係合孔（７）に係合しかつ前記一方の板状部分の外方に所定量突出する拡頭部（６ａ）を有する係合突部（６）が設けられ、前記係合孔と前記係合突部とが、前記両側板状部分の前記支持部分側とは相反する端部近傍に設けられ、前記係合孔が、横長の小幅部分と、該小幅部分の中間部に前記拡頭部よりも小径の円形部分（７ａ）とを有するように形成され、前記部材支持用クリップ（１）が、前記各取付用貫通孔（８ａ・８ｂ）に挿通する固定部材（９）により前記取付対象部材（１１）に取り付けられ、前記取付対象部材（１１）に、前記部材支持用クリップ（１）を回り止めするべく前記係合突部（６）の前記拡頭部（６ａ）を係合状態に受容する回り止め用凹部（１１ｂ）が設けられているものとした。
【０００６】
特に、前記部材支持用クリップ（１）が、前記各取付用貫通孔（８ａ・８ｂ）に挿通する固定部材（９）により前記取付対象部材（１１）に取り付けられ、前記取付対象部材（１１）に、前記部材支持用クリップ（１）を回り止めするべく前記係合突部（６）の突出端部を係合状態に受容する回り止め用凹部（１１ｂ）が設けられていると良い。
【発明の効果】
【０００７】
このように本発明によれば、係合突部と係合孔との係合により、クリップをあらかじめ両側板状部分を重ね合わせた状態に保持することができ、その状態により支持部材にクリップを仮止めすることができるため、その後の取付対象部材への取り付け作業を容易に行うことができる。
【０００８】
特に、クリップを取付対象部材に、両側板状部分に設けた取付用貫通孔に挿通する固定部材としての例えばボルトを用いて取り付ける場合に、そのままではボルトの軸線回りにクリップが回転し得る虞があるのに対して、クリップに設けた仮止め用の係合突部の突出端部を係合状態に受容する回り止め用凹部を取付対象部材に設けたことから、ボルトの軸線回りに回転しようとしても係合突部と回り止め用凹部との係合によりクリップを回り止めすることができる。
【発明を実施するための最良の形態】
【０００９】
以下、本発明の実施の形態を、図面を参照しながら説明する。図１は本発明が適用されたクリップ１を支持部材としてのネット２に組み付けた状態の全体を示す斜視図である。なお、図に示されるネット２は、例えば自動車の荷室などにて積載物の荷崩れを防止するのに用いられるが、使用場所を自動車の荷室に限られるものではない。
【００１０】
図示例のネット２にあっては、その外周となる縁の全周に渡って、ある程度の太さを有する紐３が矩形環状に設けられ、その紐３に囲まれた内側の全範囲に菱目網地形状の網４が張られている。その紐３の適所に任意の数（図示例では６個）のクリップ１が取り付けられている。
【００１１】
クリップ１は、合成樹脂製であって良く、図２に示されるように細長の板状体を中間部で折り曲げた形状に形成されている。組み付け前のクリップ１にあっては、図２（ａ）に示されるように、クリップ１の中間部の折り曲げ部分にはＣ字状の湾曲部１ａが形成されるように、湾曲部１ａの両側に延出された平板形状の各板状部分１ｂ・１ｃが鋭角に開いている。なお、各板状部分１ｂ・１ｃの開口量は紐３を湾曲部１ａに通し得る程度であって良い。
【００１２】
組み付け時には、図３に示されるように、両板状部分１ｂ・１ｃを閉じて互いに重ね合わせる。その閉じた状態で上記湾曲部１ａにより支持部分として円筒状の孔５が形成される。なお、孔５の大きさは紐４をある程度の余裕をもって受容し得る大きさであって良い。
【００１３】
一方の板状部分１ｂには、その他方の板状部分１ｃに重ね合わされる面であって湾曲部１ａ側とは相反する端部近傍に、他方の板状部分１ｃの厚さよりも長い柱状の係合突部６が突設されている。係合突部６の突出側には先細り形状の拡頭部６ａが設けられている。
【００１４】
他方の板状部分１ｃにおける係合突部６に対応する位置には、厚さ方向に貫通する係合孔７が形成されている。係合孔７は、図２（ｂ）に示されるように、横長の小幅部分を有し、その中間部に拡頭部６ａの最大外径よりも小径の円形部分７ａを有するように形成されている。
【００１５】
また、両板状部分１ｂ・１ｃには、互いに重ね合わされた状態で両板状部分１ｂ・１ｃを厚さ方向（重ね合わせ方向）に貫通する取付用貫通孔８ａ・８ｂが設けられている。取付用貫通孔８ａ・８ｂには、図３に示されるように取付対象部材１１への取り付け用の固定部材としての固定ピン９が挿通される。固定ピン９は、扁平大径部９ａと、扁平大径部９ａから同軸に突出された複数本（例えば２本）の脚部９ｂとを有する形状に形成されている。
【００１６】
クリップ１を取り付ける対象となる取付対象部材１１は、図示例の自動車の場合にはパネルや内装部材の薄板状部分であって良い。その取付対象部材１１には、固定ピン９の複数本の脚部９ｂを挿通し得る程度の例えば取付用貫通孔８ａ・８ｂと略同径の取付孔１１ａが設けられている。また、取付対象部材１１には、上記した係合突部６の突出端部としての拡頭部６ａが没入し得る回り止め用凹部としての回り止め用孔１１ｂが設けられている。回り止め用孔１１ｂは、取付用貫通孔８ａ・８ｂと取付孔１１ａとの整合状態で係合突部６に対応する位置に設けられており、また拡頭部６ａの没入状態で大きな遊びが生じない程度の内径に形成されている。
【００１７】
このように構成されたクリップ１および取付対象部材１１を用いた取り付け要領を以下に示す。まず、紐３の適所部分を、図２のよう開いた状態の両板状部分１ｂ・１ｃの開口から挿入して湾曲部１ａに収める。次に、両板状部分１ｂ・１ｃを閉じて互いに重ね合わせる。この時、係合突部６が係合孔７に突入し、拡頭部６ａと円形部分７ａとが係合して、両板状部分１ｂ・１ｃの開きを防止することができる。これにより、両板状部分１ｂ・１ｃを重ね合わせた状態で形成される孔５内に紐３を通した状態にすることができ、ネット２にクリップ１を一体的に組み付けることができる。そのようにして、紐３をクリップ１により仮止めすることができるため、取付対象部材１１にクリップ１を取り付ける前に必要な数のクリップ１をネット２に組み付けておくことができ、取付対象部材１１にクリップ１を取り付ける時に同時に紐３を支持するようにするものに対して、作業性が良い。
【００１８】
このように構成されたクリップ１の取付対象部材１１への取付要領にあっては、ネット２への上記仮止め状態にし、係合突部６を回り止め用孔１１ｂに没入させてクリップ１を取付対象部材１１に当接状態にして、取付用貫通孔８ａ・８ｂを取付孔１１ａに整合させる。この時、係合突部６を回り止め用孔１１ｂに没入させた状態で回り止め用孔１１ｂを回転中心としてクリップ１を回転させることができるため、取付用貫通孔８ａ・８ｂを取付孔１１ａに整合させる作業を容易に行うことができる。
【００１９】
そして、図４の矢印に示されるように固定ピン９を取付用貫通孔８ａ・８ｂおよび取付孔１１ａに挿通し、図４に示されるように複数の脚部９ｂを拡開する向きに曲折し、脚部９ｂの突出端を取付対象部材１１の裏面（クリップ１の当接面とは相反する側の面）に係合させる。これにより、固定ピン９の扁平大径部９ａと曲折された脚部９ｂの係合部との間に両板状部分１ｂ・１ｃと取付対象部材１１とが挟持され、取付対象部材１１にクリップ１が取り付けられる。
【００２０】
このようにして、固定ピン９の軸線方向に対するクリップ１の変位が防止され、かつ固定ピン９の軸線回りに対するクリップ１の回転も防止される。したがって、クリップ１を取付対象部材１１に取り付ける固定部材に図示例のように脚部９ｂを拡開させるという簡単な形状の固定ピン９を用いることができ、ボルト止めすることなく回り止めすることができ、取り付け作業性を向上し得る。
【００２１】
なお、図示例では貫通孔からなる回り止め用孔１１ｂを設けたが、貫通孔に限られるものではなく、底のある凹部形状であっても良い。
【産業上の利用可能性】
【００２２】
本発明にかかる部材支持用クリップおよびその取付構造は、支持部材にクリップを仮止めすることができるため、その後の取付対象部材への取り付け作業を容易に行うことができ、支持部材を取付対象部材へクリップを介して取り付けるクリップによる取付構造等として有用である。
【図面の簡単な説明】
【００２３】
【図１】本発明が適用されたクリップを組み付けたネットの全体を示す斜視図である。
【図２】（ａ）はクリップを示す側断面図であり、（ｂ）は（ａ）の矢印IIｂ線から見た平面図である。
【図３】クリップの仮止め状態および固定ピンと取付対象部材とを示す要部破断側面図である。
【図４】クリップを取付対象部材に取り付けた状態を示す要部破断側面図である。
【符号の説明】
【００２４】
１  クリップ
１ｂ・１ｃ  板状部分
２  ネット（支持部材）
８ａ・８ｂ  取付用貫通孔
５  孔（支持部分）
６  係合突部
７  係合孔
９  固定ピン（固定部材）
１１  取付対象部材
１１ｂ  回り止め用孔（回り止め用凹部）
【図１】
0004729546.tif 000002
【図２】
0004729546.tif 000003
【図３】
0004729546.tif 000004
【図４】
0004729546.tif 000005